(57)【要約】      （修正有）【課題】送信手段が、高周波回路と所望の機能を奏する機能回路を備えてなる基板回路装置によって構成される送信装置において、高周波回路や機能回路で消費された電流が他の回路の回路グランドパターンに流れこむことがなく、結果的に、ノイズの侵入による性能悪化やハウリング現象や誤動作の生じることのないようにする。【解決手段】送信装置であるＦＭ送受信装置Ｒに送信手段として基板回路装置１を備え、基板回路装置１において、高周波回路の発振・変調回路８に従属する回路グランドパターン１７の電源供給回路４に他の回路から流れる消費後の電流の方向に対して正面となる部位に絶縁の領域２２を配設し且つ背となる部位でグランドパターン３に接続させた。【選択図】図２
2005302958.tif 000002
【特許請求の範囲】
【請求項１】
絶縁性の基板と、その基板に付設されて所望の電気接続を行うための配線パターン及び基準の電位電流が流れるグランドパターンと、その基板に配設されてそれら配線パターン及びグランドパターンと共に構成され、電力を供給する電力供給回路、高周波回路である送信回路、発振・変調回路、ＰＬＬ回路、基準発振回路、及び、所望の機能を奏する機能回路である送信音声増幅回路と、それら各回路に対応する前記基板の領域でそれぞれに配設された回路グランドパターンと、ＣＰＵと、アンテナと、音声入力手段と、操作入力手段とが備えられ、
上記高周波回路又は／及び機能回路で消費されてグランドパターンを介して上記電力供給回路に流れる電流がそれら上記高周波回路又は／及び機能回路と上記電力供給回路の間に位置する他の高周波回路又は／及び機能回路に対応する回路グランドパターンの領域に侵入することを妨ぐように、当該他の高周波回路又は／及び機能回路は、上記高周波回路又は／及び機能回路から上記電力供給回路への電流の流れ方向に対して背の位置となる部位で、当該他の高周波回路又は／及び機能回路に対応する電流回路グラントパターンがグランドパターンに接続されてなる送信装置。
【発明の詳細な説明】
【技術分野】
【０００１】
この発明は、絶縁性の基板に複数個の電子部品が載置され、それら複数個の電子部品を配線パターンによって接続されて電力供給回路、二以上の高周波回路、及び所望の機能を奏する機能回路が構成され、更に、それらの各回路によって送信手段が構成されてなる送信装置に関し、特に、それら高周波回路又は／及び機能回路においてそれぞれで消費される電流が他の高周波回路又は／及び機能回路に侵入することによって不要な信号成分が送信手段に混入されることを回避し得る送信装置に関する。
【背景技術】
【０００２】
送信装置を構成している基板回路装置は、絶縁性の基板に電子部品を載置して高周波回路と所望機能を奏する機能回路が構成されている。斯かる基板回路装置ではその回路が外部からのノイズによって誤作動を生じることが多く、結果的に、送信装置全体としても、装置の性能が規格から外れてしまうという問題が生じることが知られている。
斯かる誤作動を防止する構成の基板回路装置としては、以下の文献で示された発明が知られている。
【０００３】
【特許文献１】特開平１０−１４５０１３号公報
【０００４】
つまり、同公報には、基板回路装置において回路を構成する電子部品がそれぞれ絶縁性の基板の対応する分割の絶縁領域に、各回路の外部からのノイズを吸収し得る低インピーダンスの配線パターンを配設し、その低インピーダンスの配線パターンによって外部からのノイズを吸収して結果的に外部ノイズによる回路誤動作を防止する発明が開示されている。
【０００５】
他方、従来の高周波回路を含む基板回路装置として、電力の供給を行うための電力供給パターンと各回路の回路グランドパターンをバイパスのコンデンサによって接続する構成をとることによってそれら電力供給パターンと各回路グランドパターンの高周波で発生する電位を等しくさせ、且つ、各回路グランドパターンとグランドパターンの接続部を比較的に幅広く形成された配線パターンによってグランドパターンの接続部を可能な範囲で数多く設けることで各回路グランドパターンとグランドパターンの高周波で発生する電位を等しくなるようにし、更に、各回路をグランドパターンで面状に覆うことによって高周波回路又は／及び機能回路に高周波回路で発する電波が空間から侵入するのを防ぐ方法が知られていた。
【発明の開示】
【発明が解決しようとする課題】
【０００６】
上記公報には、所望の機能を有する回路を構成するように電子部品、配線パターンを備えてなる基板回路装置において、各配線パターンの領域を互いに隔離する絶縁領域にノイズを吸収し得る低インピーダンスのパターン電極が配設され、その配設された低インピーダンスのパターン電極によって外部ノイズが吸収されることが開示されている。
【０００７】
しかしながら、高周波回路が備えられ且つこの方法を用いて低インピーダンスのパターン電極が配設されてなる基板回路装置では、高周波回路からの電波が空間から他の高周波回路、機能回路等に侵入する場合にそれに伴う電波を吸収することができないという問題が生じる。
従って、斯かる構成の基板回路装置からなる送信手段を備えた送信装置では、高周波回路、機能回路等は他の高周波回路が発する高周波の電波を空間から受けることになり、結果的に、使用の際にハウリング現象や誤動作の問題が生じる。
【０００８】
他方、従来の高周波回路が備えられた基板回路装置については、電力を供給するための電力供給パターンと各回路グランドパターンの間にバイパスのコンデンサを介在させて電力供給パターンと各回路グランドパターンの高周波で発生する電位を等しくさせ、且つ、各回路グランドパターンとグランドパターンとの接触部を可能な範囲で多く設け、更に、各回路をグランドパターンで面状に覆うことで各回路グランドパターンとグランドパターンの高周波で発生する電位が等しくなるように構成されたものが知られている。
【０００９】
斯かる構成の基板回路装置では、高周波回路又は／及び機能回路に対して他の高周波回路で発する電波が空間から侵入することを防ぐことが可能になっている。
特に、複数枚の基板回路装置が層状に積むように並べられて構成される、所謂基板多層タイプの基板回路装置において、内側の層に配設された基板回路装置に電力供給パターンや信号パターンが配設されている場合には、全回路に共通しているグランドパターンで基板多層基板回路装置そのものの外層を覆うことによって高周波に対するシールド効果を得ることが可能になる。
【００１０】
しかしながら、斯かる構成の基板多層タイプの基板回路装置は、各回路グランドパターンとグランドパターンの接続部を可能な範囲で多く設けて構成されている。
従って、斯かる構成では微小な電流や信号を扱う回路と比較的大きい電流や信号を扱う回路が混在して配設されている場合に、微小な電流や信号を扱う回路が比較的大きい電流や信号を扱う回路の消費電流に基づき発生するノイズによって、不要な信号（ノイズ）が目的の信号に混じったり誤動作が発生するという問題がある。
【００１１】
加えて、各回路グランドパターンとグランドパターンの接続部を可能な範囲で数多く設けているので、電力供給回路と複数の回路の中に、発振・変調を行う回路と発振・変調前後の信号やその他の異なる周波数帯の信号を扱う回路が混在して配設している場合には、それら発振・変調前後の信号やその他の異なる周波数帯の信号を扱う回路で消費する電流が発振・変調を行うための回路のグランドパターンを流れて、結果的に不要な信号（ノイズ）が目的の変調・復調信号に混じるという問題が生じる。
【００１２】
よって、斯かる構成の基板回路装置による送信手段を備えた送信装置では、不要な空中線電力（スプリアス）を発射してしまうという問題を有することになる。
これに対して、各回路グランドパターンとグランドパターンとの接続部の数を減らすことによって、特定の回路で消費する電流が他の回路の回路グランドパターンに流れないように構成すると、前述の問題を回避できることになる。
【００１３】
しかしながら、各回路グランドパターンと全回路に共通のグランドパターンとの接続部の数を単純に減らすと、各回路グランドパターンとグランドパターンの間に高周波による電位差が生じる場合が出て来る。
斯かる場合では、高周波回路で発する高周波（電波）が空間から他の高周波回路又は／及び機能回路に侵入して、その高周波によって他の高周波回路又は／及び機能回路がハウリング現象や誤動作を引き起こすという問題が生じる。
つまり、高周波回路を備えて基板回路装置では、上述の構成を採用してもハウリング現象や誤動作の問題が残る。
【００１４】
そこで、高周波回路が備えられ、送信装置に用いられる基板回路装置１ａとして図１０及び図１１に示されたものが考えられる。
つまり、基板回路装置１ａ、各回路の回路グランドパターンａと全回路に共通のグランドパターンａの接続部をできるだけ増やしており、各回路グランドパターンａをグランドパターンａで面状に覆われている。
【００１５】
しかしながら、斯かる構成であって、且つ、電力供給回路４ａと送信周波数とは異なる信号を扱うＰＬＬ回路１０ａや基準発振回路１１ａの間に、微小な送信信号を扱う発振・変調回路８ａ（ＶＣＯ：Ｖｏｌｔａｇｅ  Ｃｏｎｔｒｏｌ  Ｏｓｉｌｌａｔｏｒ）が配設されている場合には、ＰＬＬ回路１０ａや基準発振回路１１ａで消費する電流が発振・変調回路６ａのグランドパターンａを流れることになり、ＰＬＬ回路１０ａや基準発振回路１１ａに起因する高周波信号が発振・変調回路８ａで生成する本来一波である筈の発振信号に不要波として混じり、結果的に不要な空中線電力（スプリアス）を発射してしまうという問題を引き起こし易いという問題が生じる。
【００１６】
ここで、斯かる問題を引き起こす要因は、ＰＬＬ回路１０ａや基準発振回路１１ａで消費する電流が、発振・変調回路８ａのグランドパターンを流れることと考えられる。
そこで、電力供給回路４ａの配設位置と発振・変調回路８ａの配設位置を入れ替えてＰＬＬ回路１０ａや基準発振回路１１ａで消費する電流が、発振・変調回路８ａのグランドパターンを流れ難くすればよいということが考えられる。
しかしながら、高周波回路を含む基板回路装置１ａでは、信号の流れに沿って各回路の配設位置が要求されるといった条件により簡単に各回路間でその配設位置を簡単に入れ代えることはできないという問題がある。
【００１７】
又、特定の回路の配設位置を無理に選択すと、結果的に、高周波信号のパターンを必要以上に長めに引き回してしまうと高周波信号が減少することになり、場合によっては当該基板回路装置に更に増幅段を追加しなければいけないという無理や無駄が生じたり、性能劣化を引き起こすという問題も生じる。
従って、特定の回路同士の配設位置を互いに替えることは、回路設計のやり直しにつながるので困難となる。又、特定の回路同士の配設位置を入れ替えたからといって全ての問題が解決して所望通りの基板回路装置が得られるとは限らない。
【００１８】
本発明の発明者は上述した諸問題に鑑みて鋭意工夫を行い、高周波回路が備えられ、例えば別の高周波回路であるＰＬＬ回路や基準発振回路機能回路で消費する電流が発振・変調回路の回路グランドパターンを流れることがなく、例えば高周波回路の発振・変調回路が正常に機能して結果的にノイズの侵入による性能悪化や誤動作の生じることのない基板回路装置を備えて送信手段を構成し、斯かる構成の送信手段を有する送信装置を発明するに到った。
【００１９】
つまり、この発明は、ある高周波回路や機能回路で消費する電流が他の高周波回路や機能回路の回路グランドパターンに流れることを阻止し、結果的に、ノイズの侵入による性能悪化やハウリング現象や誤動作の生じることのない高周波回路を備えた基板回路装置を想到し、その回路基板装置を送信手段として備えた送信装置を提供するものである。
【課題を解決するための手段】
【００２０】
この発明は、送信手段を構成する回路が、グランドパターンが付設された絶縁性の基板に構成され、高周波回路又は／及び機能回路と電力供給回路の間に位置する他の高周波回路又は／及び機能回路は、その対応する回路グランドパターンが、前記高周波回路又は／及び機能回路から前記電力供給回路への電流の流れ方向に対して背の位置となる部位で、グランドパターンに接続されてなる送信装置である。
【００２１】
その詳細な構成は、絶縁性の基板と、その基板に付設されて所望の電気接続を行うための配線パターン及び基準の電位電流が流れるグランドパターンと、その基板に配設されてそれら配線パターン及びグランドパターンと共に構成され、電力を供給する電力供給回路、高周波回路である送信回路、発振・変調回路、ＰＬＬ回路、基準発振回路、及び、所望の機能を奏する機能回路である送信音声増幅回路と、それら各回路に対応する前記基板の領域でそれぞれに配設された回路グランドパターンと、ＣＰＵと、アンテナと、音声入力手段と、操作入力手段とが備えられ、上記高周波回路又は／及び機能回路で消費されてグランドパターンを介して上記電力供給回路に流れる電流がそれら上記高周波回路又は／及び機能回路と上記電力供給回路の間に位置する他の高周波回路又は／及び機能回路に対応する回路グランドパターンの領域に侵入することを妨ぐように、当該他の高周波回路又は／及び機能回路は、上記高周波回路又は／及び機能回路から上記電力供給回路への電流の流れ方向に対して背の位置となる部位で、当該他の高周波回路又は／及び機能回路に対応する電流回路グラントパターンがグランドパターンに接続されてなる送信装置である。
【００２２】
尚、ここで、回路グランドパターンとは、各回路に対応する基板の領域でそれぞれに配設された各回路に直属的なグランドパターンを言う。
【発明の効果】
【００２３】
この発明は、送信手段に電力の供給を行う電力供給回路及び高周波回路又は／及び機能回路を備えて構成し、それら電力供給回路及び高周波回路又は／及び機能回路の間に位置する他の高周波回路又は／及び機能回路に対応する回路グランドパターンを、前記高周波回路又は／及び機能回路から電力供給回路への電流の流れに対して背になる部位でグランドパターンに接続させたことにより、前記高周波回路又は／及び機能回路で消費される電流は他の高周波回路又は／及び機能回路に流れ込まないので、電気信号によるハウリング現象や所望の信号にノイズが混入することのない送信装置である。
【発明を実施するための最良の形態】
【００２４】
以下、この発明の最良の形態を図面に基づき説明する。しかし、この形態によって、この発明が限定されるものではない。
送信装置であるＦＭ無線送受信装置Ｒは、送信機能に加えて受信機能も備えられ、それら送信機能と受信機能を交互に行って使用するシンプレックスタイプの無線装置である。
【００２５】
ＦＭ無線送受信装置Ｒは、図１に示すように、電力供給回路４と、受信回路５と、検波・復調回路６と、アンテナスイッチ回路７と、発振・変調回路８と、送信回路９と、ＰＬＬ回路１０と、基準発振回路１１と、受信音声増幅回路１２と、記憶手段（図示省略）が内蔵された中央演算手段であるＣＰＵ２７と、表示手段が付設された操作入力手段２８と、音声出力手段であるスピーカ２９と、送信音声増幅回路３０及び音声入力手段であるマイクロホン３１が備えられており、図示のように各回路は接続されている。
【００２６】
電力供給回路４は、装置本体の各回路に所定の電力を供給するものである。
受信回路５は、高周波回路の一つであって、信号を受信し、その受信した信号から不要な信号を取り除き、受信信号を増幅し、更にはより低い周波数に変換するものである。
検波・復調回路６は、高周波回路の一つであって、受信回路５から送られて来た信号を更に増幅し、又、より低い低周波に変換して不要な信号を取り除いた後に検波手段によって音声信号を復調するものである。
【００２７】
アンテナスイッチ回路７は、高周波回路の一つであって、受信時にはアンテナで受けた受信信号を受信回路５に送り、送信時には送信回路９からの信号をアンテナに送るというスイッチの働きを行うものである。
発振・変調回路８は、高周波回路の一つであって、受信用のローカル周波数を発振し、又、送信周波数を発振してその信号に送信音声を変調として重畳するものである。
【００２８】
送信回路９は、高周波回路の一つであって、発振・変調回路８から送られて来た送信信号を所定の電力まで電力増幅し、又、不要な信号を取り除くものである。
ＰＬＬ回路１０は、高周波回路の一つであって、基準発振回路１１から出力された基準周波数に基づいて、発振・変調回路８から出力された信号を所望の周波数に加工するものである。
【００２９】
基準発振回路１１は、高周波回路の一つであって、環境温度に変化が生じる場合であっても安定した基準となる周波数の信号を生成してＰＬＬ回路１０に出力するものである。
送信音声増幅回路３０は、機能回路の一つであって、送信音声の音声入力手段であるマイクロホン３１から出力された音声信号の電力を所定の値まで電力増幅するものである。
【００３０】
ここで、電力供給回路４と、受信回路５と、検波・復調回路６と、アンテナスイッチ回路７と、発振・変調回路８と、送信回路９と、ＰＬＬ回路１０と、基準発振回路１１及び送信音声増幅回路３０は、絶縁性の基板２に電子部品が配設され且つ電気接続されてなる基板回路装置１として構成されている。  
【００３１】
つまり、別言すると、基板回路装置１は図２に示すように、絶縁性の基板２と、配線パターン（図示省略）と、基準の電位電流が流れるグランドパターン３と、電力供給回路４と、受信回路５と、検波・復調回路６と、アンテナスイッチ回路７と、発振・変調回路８と、送信回路９と、ＰＬＬ回路１０と、基準発振回路１１と、送信音声増幅回路３０と、それら各回路に対応して配設された回路グランドパターン１３、１４、１５、１６、１７、１８、１９、２０及び２１を備えて構成されている。
【００３２】
尚、図２に示す基板回路装置１では、電力ラインや信号ラインのパターン、スルーホール、各電子部品の個々の形状等の図示を省略し、各回路及びグランドパターンのみを図示している。
又、基板回路装置１において絶縁性の基板２とグランドパターン３の配置構成を明示するために、図２にはグランドパターン３の一部切欠きが含まれている。
【００３３】
グランドパターン３、電力供給回路４、高周波回路である受信回路５、検波・復調回路６、アンテナスイッチ回路７、発振・変調回路８、送信回路９、ＰＬＬ回路１０、基準発振回路１１及び送信音声増幅回路３０は、ほぼ等間隔をもって基板２上にほぼマトリックス状に配設されている。
絶縁性の基板２は、ほぼ方形状でシート状の硬質材料或いは折曲げ可能なフレキシブル材料からなり、上記各回路を構成する電子部品を固定保持し、且つ、上記配線パターン、グランドパターン３及び回路グランドパターン１３、１４、１５、１６、１７、１８、１９、２０及び２１が付設されたものである。
【００３４】
上記配線パターンは、絶縁性の基板２に載置固定された電子部品同士を所望の電気接続によって上記の回路を構成させたり、各回路に駆動電流を供給するためのものである。
グランドパターン３は基準の電位電流を流すためのものであり、回路グランドパターン１３、１４、１５、１６、１７、１８、１９、２０及び２１は各回路に対応する基板２の領域でそれぞれに配設された各回路に直属的なグランドパターンである。
尚、絶縁性の基板２に上記配線パターン、グランドパターン３及び回路グランドパターン１３、１４、１５、１６、１７、１８、１９、２０及び２１を付設する方法として、一つに所謂回路印刷の方法が挙げられる。
【００３５】
基板回路装置１では、高周波回路である送信回路９、ＰＬＬ回路１０、基準発振回路１１及び検波・復調回路６と、機能回路である送信音声増幅回路３０の少なくともいずれか一つの回路で消費されて電力供給回路４の方向に流れる電流が、他の高周波回路である受信回路５、アンテナスイッチ回路７及び発振・変調回路８にそれぞれ対応する回路グランドパターン１４、１６及び１７のいずれの領域に侵入することに対して妨ぐように、電力供給回路４への電流の流れ方向に対して背の位置となる部位で、回路グラントパターン１４、１６及び１７がグランドパターン３に接続されている。
【００３６】
そうして、斯かる電力供給回路４への電流の流れ方向に対して背の位置となる部位でのグランドパターンに対する回路グラントパターン１４、１６及び１７の接続を構成するために、回路グランドパターン１４、１６及び１７において電力供給回路４への電流の流れ方向に対して正面の位置となる部分に、グランドパターン３と電気的な絶縁状態を得る絶縁の領域３２、２２及び３３が配設されている。
【００３７】
発振・変調回路８について詳述すると、発振・変調回路８に対応する回路グランドパターン１７は図３に示すように、その形状がほぼ方形状であり、アンテナスイッチ回路７に対向する位置にある一辺の縁部２３のみでグランドパターン３に接続されている。
他方、検波・復調回路６、基準発振回路１１、ＰＬＬ回路１０及び送信音声増幅回路３０で消費されて電力供給回路４に向かう電流と正面となる部分、つまり、発振・変調回路８に斯かる回路グランドパターン１７の受信回路５に対向する位置にある縁部２６、発振・変調回路８のＰＬＬ回路１０に対向する位置にある縁部２４及び発振・変調回路８の送信音声増幅回路３０に対向する位置にある縁部２５は、コの字形状の絶縁の領域２２によってグランドパターン３と絶縁状態が保たれている。
【００３８】
従って、発振・変調回路８に対応する回路グランドパターン１７の検波・復調回路６、基準発振回路１１、ＰＬＬ回路１０及び送信音声増幅回路３０で消費されて電力供給回路４に向かう電流の流れる方向に正面となる部分は絶縁状態が保たれているから、発振・変調回路８に検波・復調回路６、基準発振回路１１、ＰＬＬ回路１０及び送信音声増幅回路３０で消費されて電力供給回路４に向かう電流が流れ込むことはない。
【００３９】
他方、発振・変調回路８に係る回路グランドパターン１７は図３に示すように、その形状がほぼ方形状であって、アンテナスイッチ回路７に対向する位置にある一辺の縁部２３のみでグランドパターン３に接続されている。
つまり、発振・変調回路８に対応する回路グランドパターン１７は、検波・復調回路６、基準発振回路１１、ＰＬＬ回路１０及び送音声増幅回路３０で消費されて電力供給回路４に向かう電流の流れる方向に対して背の位置となる部位でのみグランドパターン３と実質的に接続されている。
【００４０】
ここで、基板回路装置１において、発振・変調回路８及び基準発振回路１１をブロックで表現し、発振・変調回路８と基準発振回路１１との接続を電気回路的に表現すると図４に示すものとなる。
他方、図４に対応する従来技術に係る図を、図７に示す。
尚、図２では電力供給パターンが図示省略しているので各回路の正極側と負極側の間に介在させるバイパスのコンデサは同様に省略しているが、図４の中の発振・変調回路８と基準発振回路１１には、電力供給パターンに該当する正極側と負極側が図示しているので、対応してバイパスのコンデンサを図示している。
図７においても同様に、バイパスのコンデンサを図示している。
【００４１】
又、回路グラントパターン１４及び１６は共に、グランドパターン３と回路グランドパターン１７の関係と同様であり、且つ、結果的に回路の発振・変調回路８が不要な電流の侵入を受けずに所定通りに機能したと同様に、対応する受信回路５及びアンテナスイッチ回路７は不要な電流の侵入を受けずに所定通りに機能する。
【００４２】
ＦＭ送受信装置Ｒを構成している基板回路装置１は図２において、受信回路５、アンテナスイッチ回路７及び発振・変調回路８は、それぞれが対応する回路グランドパターン１４、１６及び１７が他の回路から不要な電流の侵入を受けずにグランドパターン３に接続されていて、各回路は不要な電流のない状態で所定通りに作用するから、電気信号によるハウリング現象や機能のための所定の信号にノイズが混入することによる性能の悪化は生じない。
【００４３】
基板回路装置１は、上述したように構成されている。ここで、基板回路装置１の機能、更にはＦＭ送受信装置Ｒの機能を説明する。
まず、使用者が操作入力手段２８を操作して電源のメインスイッチをＯＮとすると、回路基板装置１において電力供給回路４から上記配線パターンを介して所定の電流が各回路に供給される。
ここで、各回路が所定電流の供給を受けて基板回路装置１が作動状態になると、各回路はそれぞれ上述した機能を奏する。
【００４４】
この時、発振・変調回路８では、高周波回路であるＰＬＬ回路１０及び基準発振回路１１が電力を消費してその電流が電力供給回路４に流れる。その際に、その電流の一部が発振・変調回路８の回路グランドパターン１７を介して発振・変調回路８に入り込もうとする。
【００４５】
しかしながら、ＰＬＬ回路１０と基準発振回路１１で消費された電流が電力供給回路４へと流れるが、その電流の流れる方向に対して正面に位置する回路グランドパターン１７の部位は、絶縁の領域２２によってグランドパターン３と絶縁の状態に保たれており、前記の電流は回路グランドパターン１７に流れることはなく、結果的に、発振・変調回路８にＰＬＬ回路１０、基準発振回路１１で消費した電力の電流が侵入することはない。
【００４６】
送信音声増幅回路３０に対向する部分つまり縁部２５は絶縁部となって絶縁されていると共にＰＬＬ回路１０に対向する部分つまり縁部２４の絶縁部となって絶縁されているので、Ｐｌｌ回路１０及び基準発振回路１１の消費電流の一部が回路グランドパターン１７を介して発振・変調回路８に流れ込むということは生じない。
【００４７】
従って、従来の基板回路装置１ａでは、ＰＬＬ回路１０ａ及び基準発振回路１１ａからの消費電流による不要な高周波信号が、発振・変調回路８ａにおいて生成される発振信号に対してスプリアス波（発振信号とは異なる周波数の信号）として混じっていたが、発振・変調回路８の発振信号にスプリアス波が発生することがなく、目的とする所望の送信電波のみを出力することが得られている。
【００４８】
他方、発振・変調回路８は、縁部２３で回路グランドパターン１７がグランドパターン３と接続しているので、その機能は所定通り奏することになる。
【００４９】
従って、発振・変調回路８は、不要な消費電流の侵入のない所望通りの機能を発揮することになる。
又、他の高周波回路及び機能回路において電力の消費によって生じる電力供給回路４に向かう消費電流の侵入については、絶縁の領域３２、３３によって防がれるので、各回路も所望通りの機能を奏することになる。
従って、基板回路装置１は所望通りに機能するから、基板回路装置を１を備えて構成される送信装置Ｒは、高周波回路及び機能回路において電力の消費によって電力供給回路４に向かう電流が生じても、その機能は所望通りに奏することになる。
【００５０】
送信装置は受信機能を有するものとしてＦＭ送受信装置Ｒとして構成されているが、送信機能のみを備えた構成であってもよい。
【００５１】
ＦＭ送受信装置Ｒを構成している基板回路装置１において、各回路は絶縁性基板２の上にマトリックス状に配設されているが、各回路を構成する部品によって各回路の配設は適宜選択するのがよい。
その際、その選択した各回路の配設の構成に対応させて、各回路で消費されて電力供給回路４の方向に流れる電流に対して正面に位置する部分に絶縁の領域を設け、且つ、  前記電流の流れに対して背となる位置で対応する回路グランドパターンをグランドパターンに接続すればよい。
【００５２】
ＦＭ送受信装置Ｒを構成している基板回路装置１において、絶縁の領域２２、３２及び３３は具体的に、その幅を０．１〜１．０ｍｍ程度で短冊状のものであって、各種の電極パターンを絶縁性の基板２に導電材料を積層して形成する際に回路グランドパターンで絶縁構成とさせる部分を予めパターンとして導電層が除去されるように加工することで形成する方法が挙げられる。
が、絶縁の領域は、各回路及び各回路グランドパターンの形状、各回路の配設の状態、製造加工の簡便性等によって、適宜選択するのが望ましい。
【図面の簡単な説明】
【００５３】
【図１】この発明の実施の形態例の送信装置としてのＦＭ無線送受信装置の構成を説明する構成説明図である。
【図２】図１に示すＦＭ無線送受信装置を構成している基板回路装置の各回路の配設構成を説明する、一部切欠きを含む構成説明図である。
【図３】図２に示す基板回路装置の要部の拡大図である。
【図４】図３に示す基板回路装置の要部の電気回路図である。
【図５】従来の技術を示す図２相当図である。
【図６】従来の技術を示す図３相当図である。
【図７】従来の技術を示す図４相当図である。
【符号の説明】
【００５４】
Ｒ                  ：送信装置としてのＦＭ無線送受信装置
１，１ａ            ：基板回路装置
２，２ａ            ：絶縁性の基板
３，３ａ            ：グランドパターン
４，４ａ            ：電力供給回路
５，５ａ            ：受信回路（高周波回路）
６，６ａ            ：検波・復調回路（高周波回路）
７，７ａ            ：アンテナスイッチ回路（高周波回路）
８，８ａ            ：発振・変調回路（高周波回路）
９，９ａ            ：送信回路（高周波回路）
１０，１０ａ        ：ＰＬＬ回路（高周波回路）
１１，１１ａ        ：基準発振回路（高周波回路）
１２，１２ａ        ：受信音声増幅回路（機能回路）
１７，１７ａ        ：回路グランドパターン
２２，３２，３３    ：絶縁の領域
３０，３０ａ        ：送信音声増幅回路（機能回路）
【図１】
2005302958.tif 000003
【図２】
2005302958.tif 000004
【図３】
2005302958.tif 000005
【図４】
2005302958.tif 000006
【図５】
2005302958.tif 000007
【図６】
2005302958.tif 000008
【図７】
2005302958.tif 000009